(57)【要約】【課題】本発明は、折れの発生メカニズムに着目し、折れの発生をさらに完全なレベルにまで防止することの可能な輪転印刷機の折機の提供を目的とする。【解決手段】折機１は、対向する天側フォルディングローラ２１及び地側フォルディングローラ２２と、ほぼ対向して配設された複数の天側ガイド３１及び地側ガイド３２と、折れ防止ガイド６と、回転ガイド部材７とを備えており、回転ガイド部材７は、仮想平面５１と仮想平面５２とに挟まれた領域の外側に、位置調整手段８によって回転可能に設けられており、折胴４１から離れた新聞紙１０と当接し、新聞紙１０をガイドする。【選択図】  図１
2010189143.tif 000002
【特許請求の範囲】
【請求項１】
折胴と、印刷紙の第二折りを行う一対のフォルディングローラとを備えた輪転印刷機の折機において、
前記一対のフォルディングローラの一方の回転中心と前記折胴の回転中心を含む第一の仮想平面と、前記一対のフォルディングローラの他方の回転中心と前記折胴の回転中心を含む第二の仮想平面とに挟まれた領域の外側に、回転可能に設けられ、前記折胴から離れた前記印刷紙と当接する回転ガイド部材を備えたことを特徴とする輪転印刷機の折機。
【請求項２】
前記回転ガイド部材が、円板状又は円筒状に形成されたブラシ又はスポンジを有することを特徴とする請求項１に記載の輪転印刷機の折機。
【請求項３】
前記回転ガイド部材が、前記折胴から離れた前記印刷紙の移動方向に沿って、複数箇所に設けられたことを特徴とする請求項１又は２に記載の輪転印刷機の折機。
【請求項４】
前記回転ガイド部材が、前記印刷紙の袋側及びペラ側の天側端部及び地側端部の少なくとも一つ以上に対応する位置に設けられたことを特徴とする請求項１〜３のいずれか一項に記載の輪転印刷機の折機。
【請求項５】
前記回転ガイド部材が、位置調整可能に支持されたことを特徴とする請求項１〜４のいずれか一項に記載の輪転印刷機の折機。
【請求項６】
前記回転ガイド部材が、進退自在に又は揺動自在に支持され、かつ、該回転ガイド部材を遠隔操作するための駆動手段を備えたことを特徴とする請求項１〜５のいずれか一項に記載の輪転印刷機の折機。
【発明の詳細な説明】
【技術分野】
【０００１】
この発明は、輪転印刷機の折機に関し、特に、一対のフォルディングローラが、印刷紙の第二折りを行う際、印刷紙の端に発生する不要な折れ（天折れ，地折れ）を防止するための、回転ガイド部材を備えた輪転印刷機の折機に関する。
【背景技術】
【０００２】
一般的に、新聞輪転機は、大きく分類すると印刷機（印刷部）と折機（折り部）を備えている。
上記新聞輪転機（輪転印刷機ともいう。）は、複数の印刷機が印刷した複数の連続紙を、レールフレーム部でガイドした状態で重ねて、折機に送り込み、折機の上部に設けられたドラッグローラがフォーマに送り込み、フォーマが第一折りし、続いて、ニッピングローラが折胴と鋸胴の間に導く。その後、折胴に設けられ、所定のタイミングで揺動突出する紙引き針が、導かれた連続紙の先端近傍（地側）の印刷面の余白に当たる適宜な位置に突き刺さり、連続紙を折胴周面に固定する。これにより、紙引き針によって固定された連続紙が、折胴の回転とともに折胴周面に巻き付く。続いて、鋸胴に設けられた鋸歯と折胴に設けられたカッチングラバーが、鋸胴及び折胴の回転とともに回転移動し、向き合って当接すると、折胴に巻き付いた連続紙を、新聞紙の所定の長さに断裁する。
【０００３】
鋸歯とカッチングラバーが、折胴に巻き付いた連続紙を断裁するのとほぼ同じタイミングで、折胴から突出されていた紙引き針が折胴内に引っ込み連続紙から抜ける。さらに、これとほぼ同じタイミングで、折胴に設けられた折ブレードが、断裁された新聞紙（印刷紙）の地側端部と天側端部のほぼ中央部分を下方に突き押し、突き押された新聞紙の中央部分が一対のフォルディングローラの隙間へ押し込まれ、回転する一対のフォルディングローラが、新聞紙に適宜な圧力を加えながら新聞紙を下方に移動させることにより、新聞紙の第二折りが行われる。
【０００４】
上記の第二折りが行なわれる際、新聞紙の天側端部や地側端部に不要な折れが発生することがあった。このため、不要な折れを防止する様々な技術が開発されてきた。
たとえば、特許文献１には、折れ防止ガイドを備えた輪転印刷機の折機の技術が開示されている。
次に、特許文献１に記載された輪転印刷機の折機について、図面を参照して説明する。
【０００５】
（従来例）
図６は、従来例にかかる輪転印刷機の折機の要部の概略図であり、（ａ）は平面図を、（ｂ）は第二折りが行なわれる状態を説明するためのＢ−Ｂ断面図を示している。
図６において、折機１０１は、対向する天側フォルディングローラ２１及び地側フォルディングローラ２２と、ほぼ対向して配設された複数の天側ガイド３１及び地側ガイド３２（これらは、シリンダーガイドとも呼ばれる。）と、折れ防止ガイド６とを備えている。
【０００６】
天側フォルディングローラ２１と地側フォルディングローラ２２は、第二折りされた新聞紙１０が通り抜けるように、微小な隙間をあけて対向して配設してある。
天側フォルディングローラ２１は、軸方向に沿って６箇所に、周方向に逃げ溝２１１が形成してあり、さらに、二つの逃げ溝２１１としても機能する溝２１２が形成してある。折胴４１から突出した紙引き針（図示せず）は、逃げ溝２１１及び溝２１２を通って回転する。
また、地側フォルディングローラ２２は、軸方向に沿って８箇所に、周方向に逃げ溝２２１が形成してある。折胴４１から突出した紙引き針（図示せず）は、逃げ溝２２１を通って回転する。
【０００７】
ハイポサイドロイド曲線に沿って移動する折ブレード４２が、断裁された新聞紙１０の地側端部と天側端部のほぼ中央部分を下方に突き押し、突き押された新聞紙１０の中央部分が天側フォルディングローラ２１と地側フォルディングローラ２２との間の隙間へ押し込まれる。この際、新聞紙１０の天側端部は、断裁されフリーの状態にあり、地側端部は、紙引き針が引き抜かれることによりフリーの状態にある。フリー状態にある両端部をガイドするために、ほぼ対向する位置に各１０個の天側ガイド３１及び地側ガイド３２が設けられている。また、各１０個の天側ガイド３１及び地側ガイド３２のうち、ペラ側の数個は、側面どうしが接触した状態で設けられており、新聞紙１０のペラ側に発生しやすい不要な折れ（ペラ側天折れ、ペラ側地折れ）を防止する効果を高めている。
【０００８】
天側ガイド３１及び地側ガイド３２は、折胴４１の半径より大きな曲率半径、あるいは、ほぼ同じ曲率半径を有する曲面を有しており、新聞紙１０をガイドする。また、天側ガイド３１の天側フォルディングローラ２１側の先端部は、折胴４１の回転中心と天側フォルディングローラ２１の回転中心が含まれる仮想平面５１の外側に位置している（図７参照）。さらに、地側ガイド３２の地側フォルディングローラ２２側の先端部は、折胴４１の回転中心と地側フォルディングローラ２２の回転中心が含まれる仮想平面５２の外側に位置している。
【０００９】
折れ防止ガイド６は、一部が溝２１２に収容された状態となるように、支持部材６１を介して、支持棒３１１に取り付けられている。この折れ防止ガイド６は、先端側上面が、天側フォルディングローラ２１の半径とほぼ同じか、わずかに大きい曲率半径の曲面であり、先端側下面が、溝２１２の半径より大きい曲率半径の曲面である。さらに、折れ防止ガイド６は、先端側上面の曲面より先端側が、天側フォルディングローラ２１の半径より外側に突出している。
【００１０】
なお、輪転印刷機は、図示してないが、折機１０１の下方に、デリバリーファンとデリバリーベルトを有する排紙装置を備えている。この排紙装置は、天側フォルディングローラ２１及び地側フォルディングローラ２２から排出され第二折りされた新聞紙１０を、ガイドで案内しつつデリバリーファンが受け取る。デリバリーファンが回転することによって、新聞紙１０を折機１０１の外へ排出するデリバリーベルト上へ新聞紙１０を載置し、第二折りされた新聞紙１０を折機１０１外へ排出する。
【００１１】
上述した折機１０１は、天側フォルディングローラ２１、地側フォルディングローラ２２及び折胴４１によって囲まれた空間（ほぼ三角柱状の空間）における、不要な折れの発生メカニズムに着目し、折れ曲るスペースを与えないように、折れ防止ガイド６を設けている。このようにすることによって、ほぼ三角柱状の空間内における新聞紙１０の挙動に起因する不要な折れの発生を、効果的にかつほぼ完全に防止することができた。
【００１２】
また、特許文献２には、互いに対向して回転する外周面に複数の噴出穴を有し、かつ、内部にこの噴出穴と連通する空気流通路を有し、外部から供給された空気をこの空気流通路に導いて、回転中に噴出穴から噴出することを特徴とするフォルディングローラの技術が開示されている。
この技術は、折胴と一対のフォルディングローラによって囲まれた空間（ほぼ三角柱状の空間）において、折り込まれる用紙の端に、エアーを間欠に吹きかけることにより、不要な折れの発生を防止する。
【先行技術文献】
【特許文献】
【００１３】
【特許文献１】特許第４１７４５２１号公報
【特許文献２】特開２００５−３２０１０２号公報
【発明の概要】
【発明が解決しようとする課題】
【００１４】
しかしながら、上記の折機１０１は、不要な折れの発生を効果的にかつほぼ完全に防止することができたものの、さらなる向上が要望されている。すなわち、輪転印刷機の性能向上（たとえば、高速印刷化）にともない、さらに高いレベルで、不要な折れの発生を防止することが要望されている。
【００１５】
次に、上記折機１０１による新聞紙１０の不要な折れ（適宜、折れと略称する。）について、図面を参照して説明する。
図７は、従来例にかかる輪転印刷機の折機による不要な折れを説明するための概略図であり、（ａ）は第二折りが行なわれている状態を説明するための拡大断面図を、（ｂ）は不要な折れが発生した新聞紙の斜視図を示している。
図７において、新聞紙１０は、天側フォルディングローラ２１と地側フォルディングローラ２２に挟まれた状態で下方に送り出されることにより、第二折りが行なわれている。すなわち、裁断され、折胴４１の周りでフリーの状態となった新聞紙１０は、折胴４１の周りに配置された天側ガイド３１及び地側ガイド３２に案内され、かつ、折胴４１にほぼ巻き付ついた状態を維持するように、天側フォルディングローラ２１及び地側フォルディングローラ２２へ引き込まれている。
【００１６】
ここで、折胴４１の紙引き針（図示せず）によって固定されていた先端部分（適宜、地側と略称する。）から折り込まれる中央部分までの新聞紙１０は、折胴４１の回転方向と逆行するように引き込まれるため、比較的、折胴４１に沿った巻き付き状態が維持される（緩やかに湾曲した安定した形状に維持される。）。
これに対し、鋸胴の鋸歯と折胴４１のカッチングラバー（図示せず）によって裁断された後端部分（適宜、天側と略称する。）から折り込まれる中央部分までの新聞紙１０は、折胴４１の回転によって押し込まれる方向へ力が作用する。したがって、折胴４１に沿った巻き付き状態が、むしろ天側ガイド３１側へ離れ、天側ガイド３１と衝突し暴れる傾向にある（あるいは、暴れる場合がある。）。ただし、このような暴れは、複雑かつ微妙な要因によって左右され、容易に解明できるものではない。
【００１７】
上記の複雑かつ微妙な要因としては、折胴４１や鋸胴の回転によって引き起こされる無秩序な空気の流れ、天側ガイド３１や地側ガイド３２と折胴４１との隙間、天側ガイド３１どうしの隙間、地側ガイド３２どうしの隙間、剛性やクセに関わる新聞紙１０の材質、インキ量や湿し水量に関わる印刷状況、新聞紙１０の新聞紙の頁数、天側フォルディングローラ２１や地側フォルディングローラ２２の機械振動、及び、折りプレート４２のタイミングずれ等に起因する引き率の変化などが挙げられる。
これらの複数の要因が重なって、天側フォルディングローラ２１及び地側フォルディングローラ２２に引き込まれる手前（すなわち、仮想平面５１と仮想平面５２とに挟まれた領域の外側）において、新聞紙１０の暴れ（不安定な挙動）が発生する。
【００１８】
この暴れが発生すると、図７（ａ）に示すように、新聞紙１０は、ほぼ波型の形状に変形する。この形状は、一例であり、暴れ状態に入った新聞紙１０は、様々な形状に変形しながら移動する。そして、暴れながら移動する新聞紙１０は、天側の端が、折れ曲がってしまう場合があった。この状態で、仮想平面５１を通過し、天側フォルディングローラ２１及び地側フォルディングローラ２２に引き込まれると、新聞紙１０の天側に不必要な折れ（ここでは、天折れ）が発生した。
なお、不必要な折れは、ペラ側天折れ，ペラ側地折れ，袋側天折れ，袋側地折れの四種類あり、図７（ｂ）に示すペラ側天折れが最も発生する確率が高い。また、図７（ｂ）に示すペラ側天折れは、二回折れているが、一回折れや三回以上の折れ（図示せず）も発生する。
【００１９】
本発明は、上記問題を解決すべく、折れの発生メカニズムに着目し、折れの発生をさらに完全なレベルにまで防止することの可能な輪転印刷機の折機の提供を目的とする。
【課題を解決するための手段】
【００２０】
上記目的を達成するために、本発明の輪転印刷機の折機は、折胴と、印刷紙の第二折りを行う一対のフォルディングローラとを備えた輪転印刷機の折機において、一対のフォルディングローラの一方の回転中心と折胴の回転中心を含む第一の仮想平面と、一対のフォルディングローラの他方の回転中心と折胴の回転中心を含む第二の仮想平面とに挟まれた領域の外側に、回転可能に設けられ、折胴から離れた印刷紙と当接する回転ガイド部材を備えた構成としてある。
【発明の効果】
【００２１】
本発明における輪転印刷機の折機によれば、折れ発生のメカニズムに着目し、天側フォルディングローラと折胴とに挟まれた空間や、地側フォルディングローラと折胴とに挟まれた空間における印刷紙の暴れを効果的に抑制することができるので、これらの空間において、印刷紙の端が、折れ曲がってしまうことを回避できる。これにより、折れ曲がった状態の印刷紙が、天側フォルディングローラ及び地側フォルディングローラに引き込まれ、印刷紙に不必要な折れが発生するといった不具合を回避することができる。すなわち、折れ発生のメカニズムに着目し、さらに高いレベルで、不要な折れの発生を防止することができる。
【図面の簡単な説明】
【００２２】
【図１】図１は、本発明の第一実施形態にかかる輪転印刷機の折機の要部の概略平面図を示している。
【図２】図２は、図１の概略Ａ−Ａ断面図を示している。
【図３】図３は、本発明の第一実施形態にかかる輪転印刷機の折機の動作を説明するための、要部の概略拡大断面図を示している。
【図４】図４は、本発明の第二実施形態にかかる輪転印刷機の折機の要部の概略平面図を示している。
【図５】図５は、本発明の第三実施形態にかかる輪転印刷機の折機の要部の概略拡大断面図を示している。
【図６】図６は、従来例にかかる輪転印刷機の折機の要部の概略図であり、（ａ）は平面図を、（ｂ）は第二折りが行なわれる状態を説明するためのＢ−Ｂ断面図を示している。
【図７】図７は、従来例にかかる輪転印刷機の折機による不要な折れを説明するための概略図であり、（ａ）は第二折りが行なわれている状態を説明するための拡大断面図を、（ｂ）は不要な折れが発生した新聞紙の斜視図を示している。
【発明を実施するための形態】
【００２３】
［第一実施形態］
図１は、本発明の第一実施形態にかかる輪転印刷機の折機の要部の概略平面図を示している。
また、図２は、図１の概略Ａ−Ａ断面図を示している。
図１、２において、輪転印刷機の折機１は、従来例に係る折機１０１と比較して、回転ガイド部材７を備えた点などが相違する。他の構成要素は従来例の折機１０１とほぼ同様としてある。
したがって、図１、２において、図６、７と同様の構成部分については同一の符号を付して、その詳細な説明を省略する。
【００２４】
（回転ガイド部材）
回転ガイド部材７は、仮想平面５１と仮想平面５２とに挟まれた領域の外側に、位置調整手段８によって回転可能に設けられており、折胴４１から離れた新聞紙１０と当接し、新聞紙１０をガイドする。
このようにすると、高速で移動する新聞紙１０が回転ガイド部材７と当接した際、回転ガイド部材７は、回転する。すなわち、回転ガイド部材７は、固定式のシリンダーガイド（たとえば、天側ガイド３１）に比べると、摩擦抵抗力（あるいは、衝撃力）が大幅に低減された状態で、折胴４１から離れた新聞紙１０と当接することができる。したがって、新聞紙１０にダメージを与えるといった不具合を回避することができる。また、当接した際の衝撃を、回転ガイド部材７が回転することにより低減できるので、新聞紙１０が跳ね返り、暴れるといった不具合を回避することができる。
【００２５】
本実施形態の回転ガイド部材７は、所定の幅を有するブラシローラとしてあり、このブラシローラは、円筒部材と、この円筒部材に円筒状に植毛された線状部材とを有している。
また、ブラシローラは、所定のクッション性（たとえば、歯ブラシと同じくらいのクッション性）を有している。これにより、高速で移動する新聞紙１０が当接した際、当接の衝撃を低減できるので、新聞紙１０へダメージを与えるといった不具合を効果的に回避することができる。また、当接した新聞紙１０を、ソフトに受け止めるとともに、回転することによって、新聞紙１０の移動を妨げないので、新聞紙１０の暴れを効果的に抑制することができる。
また、線状部材の材質は、通常、樹脂であるが、これに限定されるものではなく、たとえば、ゴムなどでもよい。さらに、ブラシローラの幅は、特に限定されるものではなく、たとえば、幅を短くして、ほぼ円板状に形成されたブラシとしてもよい。
【００２６】
ここで、回転ガイド部材７は、上述したブラシローラに限定されるものではない。たとえば、図示してないが、円板状又は円筒状に形成されたスポンジと、このスポンジの取り付けられる円筒部材とを有する構成としてもよい。このようにすると、上述したブラシローラとほぼ同様の効果を得ることができる。なお、スポンジの材質としては、通常、樹脂やゴムなどが挙げられる。
また、上述したブラシローラやスポンジの表面に、液化シリコンなどのコーティング溶液を塗布してもよく、このようにすると、回転ガイド部材７の表面の汚れを防止することができる。
【００２７】
位置調整手段８は、支持棒８１、第一基材８２、第二基材８３、ボルト８４、アーム８５、及び、ボルト８６などを有している。この位置調整手段８は、回転可能かつ位置調整可能に、回転ガイド部材７を支持する。
支持棒８１は、支持棒３１１とほぼ平行に設けられており、第一基材８２及び第二基材８３が取り付けられる。
第一基材８２及び第二基材８３は、矩形平板状としてあり、支持棒８１を挟み付けるための半円状の切欠が形成されている。また、第一基材８２は、ボルト８４が締め込まれる雌ねじが形成されている。また、第二基材８３は、ボルト８４が挿入される貫通孔、及び、ボルト８６が締め込まれる雌ねじが形成されている。この第一基材８２及び第二基材８３は、支持棒８１を挟んだ状態で、ボルト８４が締め込まれることによって、支持棒８１に取り付けられる。
【００２８】
アーム８５は、細長い平板状としてあり、一方の端部に長穴が形成され、他方の端部に回転ガイド部材７を回転可能に支持する軸が突設してある。通常、この軸は、ボールベアリングを介してアーム８５に設けられており、該軸に、回転ガイド部材７が取り付けられている。したがって、回転ガイド部材７は、円滑に回転する。また、アーム８５は、ボルト８６が長穴に挿入され、第二基材８３の雌ねじに締め込まれることにより、第二基材８３に取り付けられる。
このようにすると、位置調整手段８は、第一基材８２及び第二基材８３によって、支持棒８１の軸方向の位置を調整することができ、さらに、長穴及びボルト８６によって、取り付け角度及び取り付け長さを調整することができる。すなわち、回転ガイド部材７の取り付け位置を容易に調整することができる。したがって、新聞紙１０の枚数や印刷速度などに応じて、回転ガイド部材７の位置を調整することができ、折れをより確実に防止することができる。
【００２９】
なお、位置調整手段８は、上記構成に限定されるものではなく、様々な構成とすることができる。
さらに、位置調整手段８は、手作業で調整を行う構成としてあるが、これに限定されるものではなく、たとえば、モータなどの駆動装置を備え、遠隔操作を行う構成としてもよい。このようにすると、調整作業を短時間で、かつ、容易に行うことができ、さらに、印刷速度などに応じて、稼動中に、回転ガイド部材７の位置を微調整することができるので、新聞紙１０の折れを防止する信頼性を向上させることができる。また、印刷速度などに応じた設定位置を遠隔操作により自動的にセットすることも可能となるので、折機１の付加価値を向上させることができる。
【００３０】
回転ガイド部材７は、位置調整手段８によって、天側ガイド３１のガイド面より折胴４１側へ接近した位置（回転ガイド部材７と折胴４１との距離が、Δ（通常、数ｍｍ〜十数ｍｍ）となる位置）であって、かつ、仮想平面５１から折胴４１の回転中心の周りにα°（通常、２０°〜５０°）外側の位置に、位置決めされる（図２参照）。
なお、図示してないが、回転ガイド部材７が地側ガイド３２（新聞紙１０の地側）と対応する位置に設けられる場合には、回転ガイド部材７は、地側ガイド３２のガイド面より折胴４１側へ接近した位置（回転ガイド部材７と折胴４１との距離が、Δ（通常、数ｍｍ〜十数ｍｍ）となる位置）であって、かつ、仮想平面５２から折胴４１の回転中心の周りにα°（通常、２０°〜５０°）外側の位置に、位置決めされる。
【００３１】
また、本実施形態の回転ガイド部材７は、新聞紙１０の天側端部に対応する三箇所に設けられている。すなわち、回転ガイド部材７は、天側の袋側、ほぼ中央部、及び、ペラ側に対応する位置に設けられている。したがって、折機１は、図１に示すように、袋側からペラ側に向かって、回転ガイド部材７、５つの天側ガイド３１、回転ガイド部材７、３つの天側ガイド３１、折れ防止ガイド６、及び、回転ガイド部材７が順に配設されている。このように、ほぼ中央部にも、回転ガイド部材７を設けることにより、新聞紙１０の天側中央部が、湾曲するのを防止でき、新聞紙１０を全体的に安定化することができる。これにより、新聞紙１０の天側の折れを効果的に防止することができる。
なお、回転ガイド部材７を設ける位置や数量は、上記の構成に限定されるものではない。たとえば、新聞紙１０の折れが発生しやすい、袋側及びペラ側の天側端部及び地側端部に対応する位置に、回転ガイド部材７を設けてもよい。
【００３２】
また、本実施形態の折機１は、上述したように、折機１０１とほぼ同様に、天側ガイド３１、地側ガイド３２及び折れ防止ガイド６を備えている。ただし、天側ガイド３１においては、折機１０１と比べると、回転ガイド部材７を設けるために、８つの天側ガイド３１を備える構成としてある。
このようにすると、折機１は、折れ防止ガイド６を備えているので、仮想平面５１と仮想平面５２とに挟まれた領域内（ほぼ三角柱状の空間内）における新聞紙１０の挙動に起因する不要な折れの発生を、効果的にかつほぼ完全に防止することができる。すなわち、回転ガイド部材７及び折れ防止ガイド６を備えることによって、さらに高いレベルで、不要な折れの発生を防止することができる。
なお、本実施形態の折機１は、天側ガイド３１、地側ガイド３２及び折れ防止ガイド６を備えているが、これに限定されるものではない。たとえば、天側ガイド３１、地側ガイド３２及び折れ防止ガイド６を備えていなくても、あるいは、天側ガイド３１及び地側ガイド３２を備え、かつ、折れ防止ガイド６を備えていなくても、回転ガイド部材７を備えることにより、不要な折れの発生を抑制することができる。
【００３３】
次に、本実施形態の折機１の動作について、図面を参照して説明する。
図３は、本発明の第一実施形態にかかる輪転印刷機の折機の動作を説明するための、要部の概略拡大断面図を示している。
図３において、新聞紙１０は、天側フォルディングローラ２１と地側フォルディングローラ２２に挟まれた状態で下方に送り出されることにより、第二折りが行なわれている。すなわち、裁断され、折胴４１の周りでフリーの状態となった新聞紙１０は、折胴４１の周りに配置された天側ガイド３１及び地側ガイド３２に案内され、かつ、折胴４１にほぼ巻き付ついた状態を維持するように、天側フォルディングローラ２１及び地側フォルディングローラ２２へ引き込まれている。
【００３４】
ここで、鋸胴４３の鋸歯（図示せず）と折胴４１のカッチングラバー（図示せず）によって裁断された後端部分（適宜、天側と略称する。）から折り込まれる中央部分までの新聞紙１０は、上述したように、折胴４１の回転によって押し込まれる方向へ力が作用し、折胴４１に沿った巻き付き状態が、むしろ天側ガイド３１側へ離れる。このような場合であっても、折機１は、回転ガイド部材７が、移動してきた新聞紙１０と当接し、これ以上新聞紙１０が天側ガイド３１側に接近しないように、新聞紙１０の径方向への移動を抑制する。この抑制（すなわち、新聞紙１０と回転ガイド部材７との当接）は、回転ガイド部材７が回転可能であることによって、固定された天側ガイド３１に新聞紙１０が当接する場合と比べると、円滑に（新聞紙１０の挙動を安定化させるように）行われる。また、本実施形態の回転ガイド部材７は、ブラシローラとしてあるので、そのクッション性によって、さらに、円滑に（新聞紙１０の挙動を安定化させるように）行われる。
【００３５】
すなわち、上述した抑制（すなわち、新聞紙１０と回転ガイド部材７との当接）によって、新聞紙１０が天側ガイド３１と当接しないので、暴れ（不安定な挙動）が起こることを効果的に防止することができ、新聞紙１０は、緩やかに湾曲した形状を維持した状態で、仮想平面５１を通過することができる。
また、新聞紙１０の暴れは、上述したように、様々な要因が複雑に関係していることを考慮すると、新聞紙１０に折れが発生する挙動に入る前に、回転ガイド部材７が、新聞紙１０の挙動を安定化させることができるので、仮想平面５１の外側における新聞紙１０の折れ発生を効果的に防止することができる。
【００３６】
以上説明したように、本実施形態における輪転印刷機の折機１によれば、折れ発生のメカニズムに着目し、天側ガイド３１と折胴４１とに挟まれた空間における新聞紙１０の暴れを効果的に抑制することができるので、この空間において、新聞紙１０の端が、折れ曲がってしまうことを回避できる。これにより、折れ曲がった状態の新聞紙１０が、天側フォルディングローラ２１及び地側フォルディングローラ２２に引き込まれ、新聞紙１０に不必要な折れが発生するといった不具合を回避することができる。すなわち、折れ発生のメカニズムに着目し、さらに高いレベルで、不要な折れの発生を防止することができる。
【００３７】
［第二実施形態］
図４は、本発明の第二実施形態にかかる輪転印刷機の折機の要部の概略平面図を示している。
図４において、輪転印刷機の折機１ａは、第一実施形態の折機１と比較して、ほぼ中央部の位置調整手段８ａが、回転可能かつ位置調整可能に二つの回転ガイド部材７を支持する点、及び、二つの折れ防止ガイド６、６ａを備えている点が相違する。他の構成要素は折機１とほぼ同様としてある。
したがって、図４において、図１、２と同様の構成部分については同一の符号を付して、その詳細な説明を省略する。
【００３８】
位置調整手段８ａは、位置調整手段８と比べると、アーム８５の代わりに、他方の端部の両側面から一対の軸（一本の軸の両端部側の部分）が突設してあるアーム８５ａを有している点が相違する。ボールベアリングにより回転可能な一対の軸には、それぞれ回転ガイド部材７が取り付けられている。このようにすると、折胴４１から離れた新聞紙１０の中央部が、二つの回転ガイド部材７と当接することとなり、新聞紙１０の天側の中央部において、暴れ（不安定な挙動）が起こることを効果的に抑制することができる。また、新聞紙１０の天側は、合計４つの回転ガイド部材７によって４点支持（折胴４１の軸方向に沿っての四点支持）されるので、新聞紙１０の天側の袋側及びペラ側においても、暴れ（不安定な挙動）が起こることをさらに効果的に抑制することができる。
【００３９】
また、本実施形態の折機１ａは、折れ防止ガイド６、６ａを備えている。
折れ防止ガイド６ａは、折れ防止ガイド６と比べると、天側フォルディングローラ２１に掛かる先端部の幅を短くした構造としてあり、その他の構造は、ほぼ折れ防止ガイド６と同様としてある。この折れ防止ガイド６ａは、ペラ側から二番目の天側ガイド３１の代わりに設けられている。したがって、折機１ａは、袋側からペラ側に向かって、回転ガイド部材７、５つの天側ガイド３１、二つの回転ガイド部材７、天側ガイド３１、折れ防止ガイド６ａ、天側ガイド３１、折れ防止ガイド６、及び、回転ガイド部材７が順に配設されている。このようにすると、新聞紙１０の天側かつペラ側の折れをさらに効果的に防止することができる。
また、天側フォルディングローラ２１ａは、折れ防止ガイド６ａと対応する位置に、溝２１２ａが形成されており、この溝２１２ａの袋側は、逃げ溝２１１として機能する。
【００４０】
以上説明したように、本実施形態の折機１ａによれば、第一実施形態の折機１とほぼ同様の効果を有するとともに、新聞紙１０の天側の折れをさらに効果的に防止することができる。
【００４１】
［第三実施形態］
図５は、本発明の第三実施形態にかかる輪転印刷機の折機の要部の概略拡大断面図を示している。
図５において、輪転印刷機の折機１ｂは、第一実施形態の折機１と比較して、二つの回転ガイド部材７が、位置調整手段８ｂによって、折胴４１から離れた新聞紙１０の移動方向に沿って設けられている点が相違する。他の構成要素は折機１とほぼ同様としてある。
したがって、図５において、図１、２と同様の構成部分については同一の符号を付して、その詳細な説明を省略する。
【００４２】
位置調整手段８ｂは、位置調整手段８と比べると、第一基材８２ｂ、第二基材８３ｂ、及び、アーム８５ｂなどを有している点が相違する。他の構成要素は位置調整手段８とほぼ同様としてある。
第一基材８２ｂ及び第二基材８３ｂは、長手方向に延長された矩形平板状としてあり、支持棒８１を挟み付けるための半円状の切欠が形成されている。また、第二基材８３ｂは、上述したように、一方の端部にボルト８６が締め込まれる雌ねじが形成されており、さらに、他方の端部にボルト８６が締め込まれる雌ねじが形成されている。
また、アーム８５ｂは、長手方向に延長された細長い平板状としてあり、一方の端部に長穴が形成され、他方の端部に回転ガイド部材７を回転可能に支持する軸が突設してある。
【００４３】
この位置調整手段８ｂは、折胴４１の軸心と直交する仮想平面において、二つの回転ガイド部材７を所定の位置（折胴４１の周面近傍）に回転可能に支持する。
なお、折機１ｂは、折機１の位置調整手段８とほぼ同じ位置に、三つの位置調整手段８ｂが取り付けられており、合計６つの回転ガイド部材７を有している。
【００４４】
ここで、アーム８５に軸支された回転ガイド部材７は、第一実施形態とほぼ同様な位置に、位置決めされている。また、アーム８５ｂに軸支された回転ガイド部材７は、折胴４１から離れた新聞紙１０がアーム８５に軸支された回転ガイド部材７と当接したときの、緩やかに湾曲した新聞紙１０と当接する位置に、位置決めされている。緩やかに湾曲した状態の新聞紙１０は、暴れが起こる前の状態にあり、この新聞紙１０が、アーム８５に軸支された回転ガイド部材７と、アーム８５ｂに軸支された回転ガイド部材７とによって支持（新聞紙１０の移動方向に沿っての二点支持）されるので、一つの回転ガイド部材７が支持（一点支持）する場合より、暴れの発生をより確実に抑制することができる。
なお、二つの回転ガイド部材７の位置は、上記に限定されるものではなく、たとえば、新聞紙１０の枚数や印刷速度などに応じて、微調整してもよい。
また、二つの回転ガイド部材７は、通常、同じ部材とされるが、これに限定されるものではなく、たとえば、直径や材質などの異なる構成としてもよい。
【００４５】
以上説明したように、本実施形態の折機１ｂによれば、第一実施形態の折機１とほぼ同様の効果を有するとともに、新聞紙１０の天側の折れをより確実に防止することができる。
【００４６】
以上、本発明の輪転印刷機の折機について、好ましい実施形態を示して説明したが、本発明に係る輪転印刷機の折機は、上述した実施形態にのみ限定されるものではなく、本発明の範囲で種々の変更実施が可能であることは言うまでもない。
たとえば、輪転印刷機の折機１は、回転ガイド部材７として、クッション性を有するブラシローラを用いているが、これに限定されるものではない。たとえば、回転ガイド部材７として、樹脂製又は金属製の円筒状のローラを用い、アーム８５にショックアブソーバ機能を設ける構成としてもよい。
【産業上の利用可能性】
【００４７】
本発明は、印刷紙の中央部から二つ折りする折機に対して、適用が可能である。
【符号の説明】
【００４８】
１、１ａ、１ｂ、１０１  折機
６、６ａ  折れ防止ガイド
７  回転ガイド部材
８、８ａ、８ｂ  位置調整手段
１０  新聞紙
２１、２１ａ  天側フォルディングローラ
２２  地側フォルディングローラ
３１  天側ガイド
３２  地側ガイド
４１  折胴
４２  折ブレード
４３  鋸胴
５１  仮想平面
５２  仮想平面
６１  支持部材  
８１  支持棒
８２、８２ｂ  第一基材
８３、８３ｂ  第二基材
８４  ボルト
８５、８５ａ、８５ｂ  アーム
８６  ボルト
２１１  逃げ溝
２１２、２１２ａ  溝
２２１  逃げ溝
３１１  支持棒
３２１  支持棒
【図１】
2010189143.tif 000003
【図２】
2010189143.tif 000004
【図３】
2010189143.tif 000005
【図４】
2010189143.tif 000006
【図５】
2010189143.tif 000007
【図６】
2010189143.tif 000008
【図７】
2010189143.tif 000009